(57)【要約】【課題】縦長の背の高い家庭用電気機器であっても、コストを抑えて取り出しやすく安全性を向上させた家庭用電気機器の梱包を提供することを目的とする。【解決手段】縦方向に長い形状を成す電気機器を、横置きの状態で収容する外装箱と、電気機器の上部及び下部に嵌められ、外装箱の両端部に収容される緩衝部材と、段ボールで形成され、両端部に収容される緩衝部材の間で、電気機器の外周に巻くように設けられる補強部材と、を備え、補強部材は、外装箱の内壁に沿って外装箱に収容され、収容された状態で、その端部が外装箱から電気機器を取り出す開口側に位置し、それぞれの端部寄りに手掛け穴を設けたものである。【選択図】図２
2016175660.tif 000002
【特許請求の範囲】
【請求項１】
縦方向に長い形状を成す電気機器を、横置きの状態で収容する外装箱と、
前記電気機器の上部及び下部に嵌められ、前記外装箱の両端部に収容される緩衝部材と、
段ボールで形成され、両端部に収容される前記緩衝部材の間で、前記電気機器の外周に巻くように設けられる補強部材と、を備え、
前記補強部材は、前記外装箱の内壁に沿って前記外装箱に収容され、収容された状態で、その端部が前記外装箱から前記電気機器を取り出す開口側に位置し、それぞれの前記端部寄りに手掛け穴を設けたことを特徴とする電気機器の梱包構造。
【請求項２】
前記補強部材の前記段ボールの中芯の方向は、前記外装箱の積み段方向と同じ方向に設けられていることを特徴とする請求項１に記載の電気機器の梱包構造。
【請求項３】
前記補強部材は、前記電気機器を梱包状態から取り出すときに前記電気機器と接触する一面を有し、該一面の中芯の方向は、横置きの前記電気機器の長手方向と交差する方向に設けられていることを特徴とする請求項１あるいは請求項２何れかに記載の電気機器の梱包構造。
【発明の詳細な説明】
【技術分野】
【０００１】
本発明は、家庭用電気機器の梱包に関する。
【背景技術】
【０００２】
従来、縦長の背の高い家庭用電気機器（以降、単に電気機器と記載する場合あり）は、トレー状の底板を備え、そのトレー状の底板の上に緩衝材を置き、その上に家庭用電気機器を載置して、外装箱を被せて緩衝材を入れて梱包している。（例えば、特許文献１参照）。
【先行技術文献】
【特許文献】
【０００３】
【特許文献１】特開２０１２−６６３５号公報（第４頁、図１）
【発明の概要】
【発明が解決しようとする課題】
【０００４】
特許文献１に記載の家庭用電気機器の梱包では、家庭用電気機器が梱包から取り出しやすいように、トレー状の底板と外装箱を別部品としているので、梱包状態でトレー状の底板と外装箱を一体化するためにバンドを掛ける必要があり、コストが掛かる構成となっている。
【０００５】
コストを掛けないために、別部品の底板を用いず、外装箱の開口部にフラップ状片を設け、それを閉じて底部を形成して、その上に緩衝材を置き、その上に家庭用電気機器を載置する構成も考えられる。
【０００６】
しかし、縦長の背の高い家庭用電気機器を立てた状態で外装箱の上から持ち上げて取り出すのは作業性が非常に悪く、取り出し作業中に落下させてしまい、家庭用電気機器を破損したり、足の上に落下させて怪我をしたりする等、課題がある。
【０００７】
本発明は、かかる課題を解決するために、縦長の背の高い家庭用電気機器であっても、コストを抑えて取り出しやすく安全性を向上させた家庭用電気機器の梱包を提供することを目的とする。
【課題を解決するための手段】
【０００８】
課題を解決する本発明に係る家庭用電気機器の梱包は、縦方向に長い形状を成す電気機器を、横置きの状態で収容する外装箱と、電気機器の上部及び下部に嵌められ、外装箱の両端部に収容される緩衝部材と、段ボールで形成され、両端部に収容される緩衝部材の間で、電気機器の外周に巻くように設けられる補強部材と、を備え、補強部材は、外装箱の内壁に沿って外装箱に収容され、収容された状態で、その端部が外装箱から電気機器を取り出す開口側に位置し、それぞれの端部寄りに手掛け穴を設けたものである。
【発明の効果】
【０００９】
本発明によれば、縦長の背の高い家庭用電気機器を横置きの状態で梱包し、電気機器の外周に補強部材巻くようにして、その補強部材の端部寄りに手掛け穴を設け、その手掛け穴に手を掛けて補強部材ごと電気機器を引き出せるようにしたので、別部品の底板を必要とせず余計なコストを掛けることなく、電気機器が取り出しやすい梱包構造を提供することができる。
【図面の簡単な説明】
【００１０】
【図１】家庭用電気機器の一例の外観を示す斜視図である。
【図２】本発明の実施の形態１に係る家庭用電気機器の梱包構造の概略構成を示す分解斜視図である。
【図３】（ａ）本発明の実施の形態１に係る家庭用電気機器の梱包構造の補強部材を示す斜視図、（ｂ）補強部材を図３（ａ）に示す断面Ａ−Ａで切断した断面図である。
【図４】本発明の実施の形態１に係る家庭用電気機器の梱包構造の梱包状態を、補強部材に掛かる位置の短手方向で切断した断面を示す模式図である。
【図５】本発明の実施の形態１に係る家庭用電気機器の梱包構造の梱包状態における補強部材の寸法関係を示す模式図である。
【図６】（ａ）本発明の実施の形態１に係る家庭用電気機器の梱包構造の、家庭用電気機器の取り出し状態の一実施例を示す斜視図、（ｂ）本発明の実施の形態１に係る家庭用電気機器の梱包構造の、家庭用電気機器の取り出し状態の他の実施例を示す斜視図である。
【発明を実施するための形態】
【００１１】
実施の形態１．
本発明の実施の形態１に係る家庭用電気機器の梱包構造について、図１から図５に従って説明する。なお、それぞれの図において、同じ部分または相当する部分には同じ符号を付し、一部の説明を省略することがある。
【００１２】
１は、例えば空気清浄機のような家庭用電気機器（以降、単に電気機器と記載する場合あり）の１例であり、据え置き状態、言い替えると使用状態で縦方向に長い直方体形状をしているものである。但し、直方体形状に限定されるものではなく円筒形状でもよい。つまりは、据え置き状態で縦方向に長い形状を成す家庭用電気機器であればよい。
【００１３】
電気機器１は使用状態で縦方向に長い直方体形状をしているが、図２に示すように、梱包時は横置きの状態で収容される。２は電気機器１が収容される外装箱であり、横長の直方体形状をしていて、上面側に開口を有している。図示しないが下面側にも同様の開口を有している。
【００１４】
外装箱２は段ボールから成り、第１の面２ｅ、第２の面２ｆ、第３の面２ｇ、第４の面２ｈの４つの面を有しており、第１の面２ｅの上面側開口の端部にフラップ状の第１の片２ａが、第２の面２ｆの上面側開口の端部にフラップ状の第２の片２ｂが、第３の面２ｇの上面側開口の端部にフラップ状の第３の片２ｃが、第４の面２ｈの上面側開口の端部にフラップ状の第４の片２ｄがそれぞれ設けられている。
【００１５】
同様に、第１の面２ｅの下面側開口の端部にフラップ状の第５の片２ｊ（図４参照）を、第２の面２ｆの下面側開口の端部にフラップ状の第６の片２ｋ（図４参照）を、図示しないが第３の面２ｇの下面側開口の端部にフラップ状の第７の片を、第４の面２ｈの下面側開口の端部にフラップ状の第８の片がそれぞれ設けられている。
【００１６】
下側開口は、図示しない第７の片と第８の片を開口側へ向かって折り曲げ、その後、第５の片２ｊと第６の片２ｋを折り曲げる。第５の片２ｊと第６の片２ｋは図４に示すように折り曲げた状態で端部を突き合せた状態となる。その第５の片２ｊと第６の片２ｋを突き合せた状態で、第５の片２ｊと第６の片２ｋの両方に掛かるようにテープ７を貼り付けて開口を閉じ、第５の片２ｊと第６の片２ｋで外装箱２の下面を構成する。
【００１７】
次に、外装箱２の下面側開口が閉じたところに、緩衝部材３ｂと上部緩衝部材３を構成する緩衝材３ａを第３の面２ｇに沿って、緩衝部材４ｂと下部緩衝部材４を構成する緩衝
【００１８】
部材４ａを第４の面２ｈに沿って、外装箱２の下面側に載置する。
【００１９】
なお、ここで言う上部緩衝部材３の上部とは、電気機器１の使用状態の上部を意味しており、梱包状態では、外装箱２の長手方向の一端部に載置されるものである。同様に、下部緩衝部材４の下部とは、電気機器１の使用状態の下部を意味しており、梱包状態では、外装箱２の長手方向の他の端部に載置されるものである。
【００２０】
上部緩衝部材３及び下部緩衝部材４は、梱包状態で外装箱２内の両端部に配置され、電気機器１に外部から加わる衝撃を吸収し、電気機器１にダメージを与えないようにするとともに、後述するが梱包状態で積み重ねる積み段状態のときの荷重を受ける役目を担う。
【００２１】
その後、緩衝部材３ａと緩衝部材４ａの間で、緩衝部材３ａと緩衝部材４ａに重ならない位置に補強部材５を挿入する。図５に示すように、補強部材５の寸法は、梱包状態で上部緩衝部材３と下部緩衝部材４の間に収まるよう、上部緩衝部材３と下部緩衝部材４の間の寸法Ｄよりも小さい寸法Ｅとなっている。
【００２２】
補強部材５は、図３（ａ）に示すように４箇所で折り曲げられ、第１の面５ｃとつながる第２の面５ｄと、第２の面５ｄとつながる第３の面５ｅの３面を有し、第１の面５ｃにはフラップ状の第１の片５ａが、第３の面５ｅにはフラップ状の第２の片５ｂがそれぞれ設けられている。
【００２３】
フラップ状の第１の片５ａの端部５ｆ寄りには手掛け穴５ｈが、フラップ状の第２の片５ｂの端部５ｇ寄りには手掛け穴５ｊがそれぞれ設けられている。補強部材５は段ボールから成り、図３（ｂ）に示すようにライナー５ｋとライナー５ｍの間に波状の中芯５ｎを挟んで形成されている。
【００２４】
中芯５ｎは、図３（ａ）に示すように、第１の面５ｃが第２の面５ｄと第１の片５ａとつながる方向に通っている。同様に第３の面５ｅが第２の面５ｄと第２の片５ｂとつながる方向に通っている。この方向は、図４に示すように積み段状態のときの荷重を受ける方向と同じ方向になっている。中芯５ｎは波状となっていて、その波状の向きを、荷重を受ける方向に合わせることで荷重を受ける力が強くなっている。
【００２５】
次に電気機器１を横置きで緩衝部材３ａに上部が、緩衝部材４ａに下部が嵌るように載置する。そして、緩衝部材３ｂで電気機器１の上部を、緩衝部材４ｂで電気機器１の下部をそれぞれ覆うように被せる。
【００２６】
その後、第３の片２ｃと第４の片２ｄを開口側へ向かって折り曲げ、さらに、第１の片２ａと第２の片２ｂを折り曲げる。第１の片２ａと第２の片２ｂは図４に示すように折り曲げた状態で端部を突き合せた状態となる。
【００２７】
その第１の片２ａと第２の片２ｂを突き合せた状態で、図５に示すように第１の片２ａと第２の片２ｂの両方に掛かるようにテープ７を貼り付けて開口を閉じ、第１の片２ａと第２の片２ｂで外装箱２の上面を構成する。
【００２８】
なお、本発明の実施の形態では上部緩衝部材３及び下部緩衝部材４を、それぞれ２部品で構成したもので説明したが、上部緩衝部材３及び下部緩衝部材４は、それぞれとして一体の部品としてもよい。一体の部品で梱包する場合は、電気機器１の上部に上部緩衝部材３を、下部に下部緩衝部材４をそれぞれ嵌めてから外装箱２に収容すればよい。
【００２９】
図４に示す梱包状態において、補強部材５は外装箱２の内壁に沿って、上部緩衝部材３及び下部緩衝部材４の厚さにより形成される空間６に収容されている。このように電気機器１から離して収容されるので、輸送のときなどに補強部材５が電気機器１に触れて傷を付けたりしないようになっている。
【００３０】
また、図４に示すように、補強部材５の中芯５ｎの通る方向が積み段状態のときの荷重を受ける方向と同じ方向になっていて、上部緩衝部材３及び下部緩衝部材４が無いところで外装箱２の内壁と沿って収容することにより、外装箱２が受ける荷重を内側から支えている。よって、荷重に対する強度を上げることができる。
【００３１】
上部緩衝部材３及び下部緩衝部材４が無いところを支えるようにするため、前述のように緩衝部材３ａと緩衝部材４ａに重ならない位置で、上部緩衝部材３と下部緩衝部材４の間の寸法Ｄよりも小さい寸法Ｅとしている。但し、緩衝部材と重ならなければよいので、寸法Ｄと寸法Ｅが同じでも同様に上部緩衝部材３及び下部緩衝部材４が無いところを支えることができるので、荷重に対する強度を上げることができる。
【００３２】
次に梱包状態からの電気機器１の取り出しであるが、前述のように補強部材５には手掛け穴５ｈ、５ｊが設けられている。補強部材５の手掛け穴５ｈが設けられている第１の片５ａ、手掛け穴５ｊが設けられている第２の片５ｂは、図４に示すように、梱包状態において、外装箱２内の上方側でそれぞれの端部５ｆ、端部５ｇが向き合うように収容されている。なお、図４では、端部５ｆと端部５ｇの間に隙間を設けているが、隙間無く突き合せるようにしてもよい。
【００３３】
補強部材５の第１の片５ａ、第２の片５ｂが上方側、言い替えると取り出し口側にくるので、図５に示すように手掛け穴５ｈ、５ｊも取り出し口側に位置している。図６（ａ）に示すように外装箱２の第１の片２ａと第２の片２ｂ、第３の片２ｃと第４の片２ｄを外側へ開くと、電気機器１を取り出す開口となる。
【００３４】
図４に示すように、補強部材５は、梱包状態では電気機器１に接触してはいないが、電気機器１の全周に巻くように収容されている。よって、手掛け穴５ｈ、５ｊに手を掛けて補強部材５を引き出すと、補強部材５の第２の面５ｄが電気機器１と接触し電気機器１を引き出せるようになっている。
【００３５】
電気機器１と接触する補強部材５の第２の面５ｄの中芯の方向は、横置きの電気機器１の長手方向と交差する方向になっている。このようにすることで、電気機器１を引き出すときに、補強部材５が曲がりにくくなり引き出しやすくなる。
【００３６】
電気機器１は縦方向に長い形状であるが、横置きにしているので、上方向に引き出す場合でもそれほど高いところまで電気機器１を引き上げる必要がなく、手掛け穴５ｈ、５ｊに手を掛けて補強部材５によって引き上げることにより簡単に取り出すことができる。
【００３７】
力の弱い女性では、電気機器１が重く上方向に引き出すことが難しいこともあるが、その場合は、図６（ｂ）に示すように、外装箱２を長手方向で横に倒して引き出すようにしてもよい。
【００３８】
外装箱２を横に倒しても、補強部材５の第２の面５ｄが電気機器１と接触し電気機器１を引き出すことが可能である。なお、補強部材５の手掛け穴５ｈ、５ｊが第１の片５ａ、第２の片５ｂにそれぞれ設けられているので、長手方向であれば外装箱の２第１の片２ａ、第２の片２ｂの何れが下側にきても補強部材５の手掛け穴５ｈ、５ｊの上下が入れ替わるだけで同じ位置にあり、問題なく引き出すことができる。
【００３９】
横方向に引き出す場合、補強部材５を外装箱２の第１の片２ａあるいは第２の片２ｂの上を滑らせて引き出すことができるので、上方向に引き出すときよりも小さい力で引き出すことができる。
【００４０】
電気機器１を引き出す途中で、もし上部緩衝部材３あるいは下部緩衝部材４が電気機器１から外れてしまったとしても、段ボールから成る外装箱２の第１の片２ａあるいは第２の片２ｂの上に落下するので、段ボールはクッション性があることから電気機器１に強い衝撃が加わったり、傷が付いたりすることを抑制できる。
【００４１】
なお、図６（ａ）、（ｂ）では何れも片手で引き出す状態を図示しているが、手掛け穴５ｈ、５ｊにそれぞれ片手を掛けて、両手で引き出すことも可能であり、両手で引き出すことでより大きな力で引き出しやすくなる。
【００４２】
それから、本発明の実施の形態では、手掛け穴５ｈ、５ｊが離れているが、引き出し時に手かけ穴５ｈ、５ｊが重なる位置に配置してもよい。その場合、手掛け穴は１つに重なり手を掛けやすく、手掛け穴の強度が高くなる。
【００４３】
以上のように、本発明の実施の形態１に係る家庭用電気機器の梱包構造では、縦方向に長い形状をしている電気機器を横置きにして外装箱に収容し、外装箱の内壁に沿って両端部に収容される緩衝部材と重ならないように電気機器の外周に補強部材を巻き、その補強部材に手掛け穴を設けたので、横置きにした電気機器を高い位置まで引き出すことなく、補強部材とともに安全に、しかも容易に引き出すことができる。
【００４４】
また、外装箱の内壁に沿って両端部に収容される緩衝部材と重ならないように補強部材を収容するようにしたので、補強部材により緩衝部材が配置されていない箇所で内側から外装箱を支えることができ、積み段状態のときの荷重を受けることができるので、荷重を受ける梱包の強度を上げることができる。
【符号の説明】
【００４５】
１  （家庭用）電気機器、２  外装箱、２ａ  第１の片、２ｂ  第２の片、２ｃ  第３の片、２ｄ  第４の片、２ｅ  第１の面、２ｆ  第２の面、２ｇ  第３の面、２ｈ  第４の面、２ｊ  第５の片、２ｋ  第６の片、３  上部緩衝部材、３ａ  緩衝部材、３ｂ  緩衝部材、４  下部緩衝部材、４ａ  緩衝部材、４ｂ  緩衝部材、５  補強部材、５ａ  第１の片、５ｂ  第２の片、５ｃ  第１の面、５ｄ  第２の面、５ｅ  第３の面、５ｆ  端部、５ｇ  端部、５ｈ  手掛け穴、５ｊ  手掛け穴、５ｋ  ライナー、５ｍ  ライナー、５ｎ  中芯、６  空間、７  テープ。
【図１】
2016175660.tif 000003
【図２】
2016175660.tif 000004
【図３】
2016175660.tif 000005
【図４】
2016175660.tif 000006
【図５】
2016175660.tif 000007
【図６】
2016175660.tif 000008